(57)【特許請求の範囲】
【請求項１】
(ａ)可撓性のシャワーホースの先端部に接続されたシャワーヘッドと、(ｂ)該シャワーホースを通じて該シャワーヘッドに給水を行う主水路上に設けられて該主水路を開閉する主弁と、(ｃ)該主弁の背後に形成され、内部の水の圧力を該主弁に対する閉弁方向の押圧力として作用させる背圧室と、(ｄ)前記主水路における前記主弁の上流側の水を該背圧室に導入し、該背圧室の圧力を増大させる導入小孔と、(ｅ)該背圧室に連通する状態で前記シャワーヘッド側に延び出した、該背圧室の水抜水路としてのパイロット水路と、(ｆ)該シャワーヘッドの内部に設けられ、該パイロット水路を開閉するパイロット弁と、を有し、該パイロット弁の開閉により前記主弁を開閉させて前記シャワーヘッドの先端部に備えられた吐水口からの吐水と止水とを行うハンドシャワー装置において、
前記シャワーヘッドの内部には、前記パイロット弁の開閉機構を設けるとともに、重錘を移動可能に設け、該シャワーヘッドに加えた加振力による該重錘の振れの力を前記開閉機構に作用させて前記パイロット弁を開弁及び閉弁させるようになし、
該開閉機構には、該パイロット弁を開弁後において開弁状態に、閉弁後において閉弁状態に保持するロック機構を備えたことを特徴とするハンドシャワー装置。
【請求項２】
請求項１において、軸周りに回動する長，短一対のアームを有する倍力機構を設けて、長アームの先端部に前記重錘を取り付ける一方、短アームを前記開閉機構に接続し、該重錘の振れの力を倍力して該短アームから該開閉機構に伝えるようになしたことを特徴とするハンドシャワー装置。
【発明の詳細な説明】
【技術分野】
【０００１】
この発明はハンドシャワー装置に関し、詳しくはハンドシャワーヘッドの内部に主弁開閉用のパイロット弁を備えたハンドシャワー装置に関する。
【背景技術】
【０００２】
従来、ハンドシャワー装置として、(ａ)可撓性のシャワーホースの先端部に接続されたシャワーヘッドと、(ｂ)シャワーホースを通じてシャワーヘッドに給水を行う主水路上に設けられて主水路を開閉する主弁と、(ｃ)主弁の背後に形成され、内部の水の圧力を主弁に対する閉弁方向の押圧力として作用させる背圧室と、(ｄ)主水路における主弁の上流側の水を背圧室に導入し、背圧室の圧力を増大させる導入小孔と、(ｅ)背圧室に連通する状態でシャワーヘッド側に延び出した、背圧室の水抜水路としてのパイロット水路と、(ｆ)シャワーヘッドの内部に設けられ、パイロット水路を開閉するパイロット弁と、を有し、シャワーヘッドに備えられた手元操作部を操作することでパイロット弁を開閉させ、これにより主弁を開閉させてシャワーヘッドの先端部に備えられた吐水口からの吐水と止水とを行うようになしたハンドシャワー装置が公知である。
【０００３】
例えば下記特許文献１にこの種のハンドシャワー装置が開示されている。
このハンドシャワー装置の場合、使用者がハンドシャワーヘッドを手に持ったまま手元操作部を操作することで、シャワーヘッドに備えた吐水口からの吐水と止水とを行うことができ、利便性が高い。
しかしながらこのように手元操作部を操作して吐水と止水とを行う場合、使用者は手元操作部に指がかかるようにしてシャワーヘッドを手に持つ必要があり、必然的に持ち手の位置が限られてしまって、好みの位置でシャワーヘッドを持つといったことができず、或いは手元操作部を操作する際にシャワーヘッドを持ち替えなければならないといった不便さがある。
また例えば洗髪中などの目を瞑った状態でシャワーヘッドを手に持って吐止水を行う場合、手元操作部を手探りで探し出す必要があり、速やかに吐水或いは止水を行うことが難しいといった問題がある。
【０００４】
このような課題を解決することを目的として、下記特許文献２には、シャワーヘッドに加速度センサを設けて、その加速度センサからの出力に基づいて、制御手段によりシャワーヘッドへの給水流路上に設けた開閉弁としての電磁弁を開閉させるようになしたハンドシャワー装置が開示されている。
しかしながらこのものは電気的にシャワーヘッドの振れを感知し、またその感知に基づいて電気的に電磁弁の作動制御等を行うもので必然的に電源を必要とし、また水周りの器具であるハンドシャワー装置をこのように構成すると漏電その他の問題を生じ易い。
【先行技術文献】
【特許文献】
【０００５】
【特許文献１】特開２００１−１１９１３号公報
【特許文献２】特開２００６−１０４７０１号公報
【発明の概要】
【発明が解決しようとする課題】
【０００６】
本発明は以上のような事情を背景とし、使用者がシャワーヘッドを手に持って使用し、吐止水の操作を行うに際してシャワーヘッドを手に持つ際の持ち手の位置に制約が無く、使い勝手が良好でしかも電源を必要としたり漏電その他電気使用による問題を生じることのないハンドシャワー装置を提供することを目的としてなされたものである。
【課題を解決するための手段】
【０００７】
而して請求項１のものは、(ａ)可撓性のシャワーホースの先端部に接続されたシャワーヘッドと、(ｂ)該シャワーホースを通じて該シャワーヘッドに給水を行う主水路上に設けられて該主水路を開閉する主弁と、(ｃ)該主弁の背後に形成され、内部の水の圧力を該主弁に対する閉弁方向の押圧力として作用させる背圧室と、(ｄ)前記主水路における前記主弁の上流側の水を該背圧室に導入し、該背圧室の圧力を増大させる導入小孔と、(ｅ)該背圧室に連通する状態で前記シャワーヘッド側に延び出した、該背圧室の水抜水路としてのパイロット水路と、(ｆ)該シャワーヘッドの内部に設けられ、該パイロット水路を開閉するパイロット弁と、を有し、該パイロット弁の開閉により前記主弁を開閉させて前記シャワーヘッドの先端部に備えられた吐水口からの吐水と止水とを行うハンドシャワー装置において、前記シャワーヘッドの内部には、前記パイロット弁の開閉機構を設けるとともに、重錘を移動可能に設け、該シャワーヘッドに加えた加振力による該重錘の振れの力を前記開閉機構に作用させて前記パイロット弁を開弁及び閉弁させるようになし、該開閉機構には、該パイロット弁を開弁後において開弁状態に、閉弁後において閉弁状態に保持するロック機構を備えたことを特徴とする。
【０００８】
請求項２のものは、請求項１において、軸周りに回動する長，短一対のアームを有する倍力機構を設けて、長アームの先端部に前記重錘を取り付ける一方、短アームを前記開閉機構に接続し、該重錘の振れの力を倍力して該短アームから該開閉機構に伝えるようになしたことを特徴とする。
【発明の作用・効果】
【０００９】
以上のように本発明は、シャワーヘッドの内部にパイロット弁を設けて成るハンドシャワー装置において、シャワーヘッドの内部にパイロット弁の開閉機構を設けるとともに、重錘を移動可能に設け、シャワーヘッドに加えた加振力による重錘の振れの力をその開閉機構に作用させて、パイロット弁を開弁及び閉弁させるようになし、またその開閉機構に、パイロット弁を開弁後において開弁状態に、閉弁後において閉弁状態に保持するロック機構を備えたものである。
【００１０】
かかる本発明のハンドシャワー装置では、使用者がシャワーヘッドを手に持ってこれを振るだけで、つまりシャワーヘッドに加振力を加えるだけでパイロット弁を開弁，閉弁させ、これにより主弁を開弁，閉弁させることでシャワーヘッドの吐水口からの吐水と止水とを行うことができる。
【００１１】
従って本発明のハンドシャワー装置では、使用者がシャワーヘッドを手に持ってこれを使用する際、持ち手の位置が制限されてしまうといったことがなく、使用者の好む任意の位置でシャワーヘッドを手に持ってこれを使用することができる。即ち持ち手の位置がどのような位置であっても、単にシャワーヘッドを振るだけで吐水及び止水を行うことができる。
【００１２】
また洗髪中など目を瞑った状態の下でも、シャワーヘッドを振るだけで簡単に吐水と止水とを行うことができ、更に指の不自由な人であっても支障無くシャワーヘッドを手に持って吐水と止水とを行うことができる。
【００１３】
また本発明のハンドシャワー装置では、重錘の移動による慣性力を利用して機械的にパイロット弁を開弁及び閉弁させ、吐水口からの吐水と止水とを行うものであるため、電気的に吐水と止水とを行う場合のように電源を必要としたり、或いは漏電などを起してしまうといった問題を生じない。
ここで上記ロック機構は、スラストロック機構となしておくことができる。
【００１４】
次に請求項２は、軸周りに回動する長，短一対のアームを有する倍力機構を設けて、長アームの先端部に重錘を取り付ける一方、短アームをパイロット弁の開閉機構に接続し、重錘の振れの力を倍力して短アームから開閉機構に伝えるようになしたもので、この請求項２によれば、重錘の振れの力が倍力されて開閉機構に伝わるため、重錘として質量の小さなものを用いることが可能となる。或いは同じ質量の重錘を用いる場合においては、より強い力で開閉機構を開閉させるようになすことができる。
更に長アーム，短アームの向きを適宜の向きとすることで、シャワーヘッドに加えるべき加振力の向きを自在に選択することが可能となる。
【図面の簡単な説明】
【００１５】
【図１】本発明の一実施形態であるハンドシャワー装置を示す図面である。
【図２】図１のシャワーヘッドの要部断面図である。
【図３】図１のバルブユニットの断面図である。
【図４】同実施形態におけるスラストロック機構の構成部品を分解して示す斜視図である。
【図５】図４のスラストロック機構の作用説明図である。
【図６】同実施形態のシャワーヘッド装置における吐水状態を示す断面図である。
【図７】本発明の他の実施形態を示す図である。
【図８】本発明の更に他の実施形態を示す図である。
【発明を実施するための形態】
【００１６】
次に本発明の実施形態を図面に基づいて以下に詳しく説明する。
図１は、本実施形態のハンドシャワー装置の全体構成を示している。
図に示しているようにこの実施形態のハンドシャワー装置は、可撓性のシャワーホース１２の先端部に接続されたシャワーヘッド１０と、シャワーホース１２の他端部に接続されたバルブユニット１４とを有している。
ここでシャワーヘッド１０は、使用者の手によって握られ、保持されるグリップ部１１を有している。
シャワーヘッド１０は、先端部に散水板１６を有しており、そこに多数の散水孔１８からなるシャワー吐水口２０が備えられている。
【００１７】
図３に、バルブユニット１４の内部構造が詳しく示してある。
２２は、バルブユニット１４におけるボデーで、接続口２４を有している。
バルブユニット１４は、この接続口２４において水栓本体の湯水の混合部等に接続されるようになっている。
このバルブユニット１４の内部には、シャワーホース１２を通じてシャワーヘッド１０に給水を行う主水路２６上に、ピストン弁からなる主弁２８が設けられている。
主弁２８は、ボデー２２に設けられた主弁座３０に着座することで閉弁し、主水路２６を遮断する。
また主弁座３０から図中上方に離間することで開弁し、主水路２６を開放する。
流入口３１からボデー２２内部に流入した水は、主弁２８の開弁状態の下で、シャワーヘッド１０のシャワー吐水口２０まで到る主水路２６を通じてシャワー吐水口２０へと送られ、外部にシャワー吐水される。
【００１８】
主弁２８の図中上側の背後には背圧室３２が形成されている。
この背圧室３２は、内部の水の圧力を主弁２８に対し図中下向きの閉弁方向の押圧力として作用させる。
この背圧室３２と、主水路２６における主弁２８の上流側とは小孔から成る導入小孔３６にて連通しており、主水路２６における主弁２８より上流側の水が、この導入小孔３６を通じて背圧室３２へと導入されるようになっている。
背圧室３２の水の圧力は、この導入小孔３６を通じ内部に水が導入されることで上昇せしめられる。
尚、３４はボデー２２の本体部にねじ結合にて脱着可能に結合されたキャップである。
【００１９】
３８は、背圧室３２に連通する状態でシャワーヘッド１０側に延び出した水抜水路としてのパイロット水路で、大部分がシャワーホース１２の内部に挿通された小径のチューブ４０の内側に形成されている。
４２は、ボデー２２の内部に組み込まれたチューブ接続部材で、中心部に小径の筒状部４４を有しており、その筒状部４４に対してチューブ４０が接続されている。
【００２０】
チューブ４０の内側の水路は、この筒状部４４の内側の水路３８ａ、及び主弁２８の中心部を軸方向即ち図中上下方向に貫通する水路３８ｂを通じて背圧室３２と連通している。
即ちこれら水路３８ａ，３８ｂはパイロット水路３８の一部を成している。
尚、筒状部４４と主弁２８とは水密に凹凸嵌合されており、その凹凸嵌合に基づいて筒状部４４と主弁２８とが水密接続されている。
【００２１】
チューブ接続部材４２には、小径の筒状部４４周りに図中上下方向の軸方向に貫通する貫通孔が複数設けられており、それら貫通孔にて形成される水路２６ａが、主水路２６の一部を成している。
ボデー２２の内部にはまた、このチューブ接続部４２の図中下側位置において、ホース接続部材４６が組み込まれている。
【００２２】
ホース接続部材４６は、ボデー２２から図中下向きに突出する筒状の挿込部４８を備えている。
この挿込部４８には、外周面に断面鋸歯状をなす凸形状部が上下方向に複数設けられている。
上記シャワーホース１２は、この挿込部４８に外挿状態に押し込まれた上、その外周面から固定リング５０にて締め付けられることで挿込部４８に固定されている。
【００２３】
図２に、シャワーヘッド１０の内部構造が詳しく示してある。
図２において、５２はシャワーヘッド１０の本体部５４にねじ結合にて組み付けられた弁座保持部材で、中心部に筒状の保持部５５を有しており、その内側の図中上部に、筒状をなす弁座部材５６がねじ結合にて組み付けられ、保持されている。
また保持部５５の図中下端部にはチューブ４０が接続部材５７，５８にて接続されている。
【００２４】
上記のパイロット水路３８は、何れもがパイロット水路３８の一部をなす保持部５５の内側の水路３８ｃ，弁座部材５６の中心部の断面円形且つ弁座部材５６を軸方向に貫通する水路３８ｄ、更に保持部５５の上端の開口にて形成される水路３８ｅを経て、シャワーヘッド１０内部の主水路２６へと繋がっている。
尚、弁座保持部材５２には保持部５５周りに、軸方向に貫通した貫通孔を有している。この貫通孔にて形成される内側の水路２６ｂは主水路２６の一部を成している。
【００２５】
上記弁座部材５６は図中上部に、断面円形の軸状をなすパイロット弁６４の軸心周りに円環状をなすパイロット弁座６０を有している。
このパイロット弁座６０は内周側にそのシール部であるＯリング６２を保持している。
そしてこのＯリング６２に対してパイロット弁６４が、軸方向に摺動可能に且つ内嵌状態に嵌合するようになっている。
【００２６】
而してパイロット弁６４がパイロット弁座６０詳しくはＯリング６２に嵌合した状態で、図２の部分拡大図に示しているように、パイロット弁６４とパイロット弁座６０との間が径方向に水密にシールされ、パイロット弁６４が閉弁状態となる。
また図６の部分拡大図に示しているように、パイロット弁６４がＯリング６２から図中上向きに離間した状態で、即ちＯリング６２との間に間隙を形成した状態で開弁状態となる。
【００２７】
このパイロット弁６４の開弁状態の下で、パイロット水路３８はシャワーヘッド１０内部の主水路２６に開放された状態となり、パイロット水路３８内の水が主水路２６へと流入する。
即ち、図３に示す上記の背圧室３２内の水が、パイロット水路３８を通じて図２のシャワーヘッド１０内の主水路２６内へと流入し、ここにおいて背圧室３２の水の圧力が低下する。
【００２８】
而して背圧室３２内の水の圧力が低下すると、図３のバルブユニット１４内の主弁２８が、主水路２６における主弁２８の上流側の給水圧力により開弁して主水路２６を開放し、ここにおいて主水路２６を通じシャワーヘッド１０のシャワー吐水口２０に給水が行われ、シャワー吐水口２０からシャワー吐水される。
【００２９】
一方パイロット弁６４が開弁状態から閉弁状態となり且つ閉弁状態に保持されると、その後導入小孔３６を通じて背圧室３２内に主水路２６の水（主弁２８よりも上流側の水）が導入されて背圧室３２の圧力が増大し、そしてその圧力が一定圧まで増大すると、背圧室３２の圧力で主弁２８が閉弁し、ここにおいて主水路２６が閉鎖されてシャワーヘッド１０のシャワー吐水口２０からの吐水が停止される。
【００３０】
図２において、６６はパイロット弁６４の開閉機構で、この開閉機構６６は駆動軸６８を有している。
ここで駆動軸６８は、シャワーヘッド１０におけるグリップ部１１の略中心部に配置され、またその軸方向が、グリップ部１１の軸方向即ち図２中上下方向を向く状態に設けられている。
駆動軸６８は、断面円形で軸方向に一様な外径を有しており、その下端部に上記のパイロット弁６４が一体に構成されている。
この駆動軸６８の図中上半部は雄ねじ部７０とされている。
【００３１】
そしてこの雄ねじ部７０の上部に、フランジ部７２付きのコア部材７４がねじ結合されて固定され、また更にこのコア部材７４に対して有底の駆動スリーブ７６がねじ結合にて固定されている。
そしてこのコア部材７４のフランジ部７２と駆動スリーブ７６の図中上端との間に、後述のスラストロック機構９０の要素をなすリング状の回転子７８が、コア部材７４周りに回転可能に保持されている。
従ってここではコア部材７４，駆動スリーブ７６及び回転子７８が駆動軸６８と一体に図中上下方向、即ち駆動軸６８の軸方向に移動するようになっている。
【００３２】
この実施形態では、パイロット弁６４が閉弁状態の下でコア部材７４，駆動スリーブ７６及び回転子７８が、駆動軸６８と一体に図中上向きに押し上げられることで、パイロット弁６４がパイロット弁座６０から図中上方に離間して開弁する。
またコア部材７４，駆動スリーブ７６及び回転子７８が駆動軸６８とともに図中下向きに降下することで、パイロット弁６４がパイロット弁座６０内部、具体的にはＯリング６２内に嵌入して閉弁状態となる。
尚これら一体に移動するコア部材７４，駆動スリーブ７６，駆動軸６８は、コイルばね８０にて常時下向き即ちパイロット弁６４を閉弁させる方向に付勢されている。
【００３３】
８２は固定状態に設けられ、上記のコア部材７４，駆動スリーブ７６及び回転子７８を駆動軸６８とともに図中上昇位置と下降位置とに位置保持する位置保持スリーブで、シャワーヘッド１０の本体部５４に組み付けられたプレート８４により、吊持状態に保持されている。
ここでプレート８４には、これを板厚方向に貫通する貫通孔が設けられており、その貫通孔にて形成される水路２６ｃが主水路２６の一部を成している。
【００３４】
このプレート８４と本体部５４の上側の段付部８６との間にはばね受８８が挟持されており、このばね受８８に対して、上記のコイルばね８０の上端が上向きに当接せしめられている。
【００３５】
コイルばね８０は、その下端が上記のコア部材７４のフランジ部７２の上面に下向きに当接せしめられており、コイルばね８０は、これらばね受８８とコア部材７４のフランジ部７２との間に介在して、その付勢力をコア部材７４に対して下向きに及ぼしている。
【００３６】
９０は、パイロット弁６４の開弁後においてこれを開弁状態に、また閉弁後においてこれを閉弁状態にそれぞれ状態保持する、上記の開閉機構６６に備えられたスラストロック機構で、その具体的な構成が図４に示してある。
図４に示しているように、位置保持スリーブ８２は内面側に突出した係止部９２を有している。
係止部９２は、周方向に沿って噛合歯９４と溝９６とを交互に有している。
またその上面には傾斜形状のカム面９８が周方向に沿って設けられている。
【００３７】
一方駆動スリーブ７６には、その外周面にストッパ突起１００と、位置決め突条１０２とが設けられている。
ここでストッパ突起１００は、駆動スリーブ７６の上昇時には位置保持スリーブ８２の溝９６内を上昇移動し、また下降時には溝９６内を下降移動した後溝９６の底部に当ってストッパ作用し、駆動スリーブ７６の下降端を規定する。
また位置決め突条１０２は、位置保持スリーブ８２の位置決め溝１０４に摺動可能に嵌合して、駆動スリーブ７６と位置保持スリーブ８２とを回転方向に位置決めする。
この駆動スリーブ７６の上面にもまた、傾斜形状のカム面１０６が設けられている。
【００３８】
回転子７８には、周方向に連続した下面にカム面１０８が設けられている。
回転子７８にはまた、径方向外方に突出した噛合歯１１０が周方向に、つまり回転方向に一定間隔で複数個所に設けられている。
この噛合歯１１０にもまた、その下面にカム面１１２が設けられている。
【００３９】
コア部材７４には、フランジ部７２の下側位置に位置決め突条１１４が設けられ、この位置決め突条１１４が、駆動スリーブ７６の内面の位置決め溝１１６に上下方向に摺動可能に嵌合することで、コア部材７４と駆動スリーブ７６とを回転方向に位置決めしている。
【００４０】
このスラストロック機構９０では、パイロット弁６４が図２の部分拡大図に示す閉弁状態にあるときには、回転子７８の径方向外方に突出した噛合歯１１０が、図５（Ｉ）に示しているように位置保持スリーブ８２の溝９６内に入り込んだ状態にあり、また駆動スリーブ７６のストッパ突起１００が溝９６の底部に当った状態にあって、コア部材７４，駆動スリーブ７６及び回転子７８が下降端に位置している。
即ちコア部材７４と駆動スリーブ７６と回転子７８とが、駆動軸６８とともに下降端にあって、位置保持スリーブ８２にてその下降端に位置保持されている。
【００４１】
この状態でコア部材７４，駆動スリーブ７６，回転子７８が駆動軸６８とともに図中上向きに持ち上げられ、そして図５（II）に示すように回転子７８の噛合歯１１０が溝９６から上側に外れると、駆動スリーブ７６のカム面１０６と回転子７８のカム面１０８とによるカム作用で、回転子７８が微小角度図４中矢印Ｐ方向に回転させられる。
【００４２】
その後、コイルばね８０の下向きの付勢力でコア部材７４，駆動スリーブ７６及び回転子７８が下向きに下がると、回転子７８の噛合歯１１０のカム面１１２と、位置保持スリーブ８２のカム面９８とが接触して、それらのカム作用で回転子７８が更に微小角度矢印Ｐ方向に回転せしめられ、図５（III）に示すように回転子７８の噛合歯１１０が位置保持スリーブ８２の噛合歯９４に咬み合った状態となる。
ここにおいてコア部材７４，駆動スリーブ７６及び回転子７８が、駆動軸６８とともに上昇位置に位置保持される。
即ちパイロット弁６４が、図中上向きに上昇した状態の開弁状態に状態保持される。
【００４３】
その後コア部材７４，駆動スリーブ７６，回転子７８が再び微小距離上向きに持ち上げられると、回転子７８の噛合歯１１０が位置保持スリーブ８２の溝９６から上向きに抜け出して、回転子７８が回転可能な状態となり、ここにおいて回転子７８が、駆動スリーブ７６のカム面１０６と回転子７８のカム面１０８との接触によるカム作用で、図４中Ｐ方向に微小角度回転させられ、その後コア部材７４，駆動スリーブ７６，回転子７８がコイルばね８０の付勢力で下向きに下ると、今度は回転子７８の噛合歯１１０のカム面１１２が位置保持スリーブ８２のカム面９８に接触して、それらのカム作用で回転子７８が更に図中Ｐ方向に微小角度回転し、その後回転子７８の噛合歯１１０が位置保持スリーブ８２の溝９６の位置に到って、その後回転子７８が駆動スリーブ１０２及びコア部材７４とともに溝９６に沿って下向きに下降する。
【００４４】
即ちコア部材７４，駆動スリーブ７６及び回転子７８が、駆動軸６８とともに一体に下降運動し、またこれとともにパイロット弁６４が下降運動して、再び図２の部分拡大図に示す閉弁状態となる。
以後コア部材７４，駆動スリーブ７６，回転子７８が上向きに持ち上げられる度に、同様の動きが繰り返される。
即ちコア部材７４，駆動スリーブ７６及び回転子７８が上向きに持ち上げられるごとに、パイロット弁６４が開弁状態と閉弁状態とに交互に状態保持される。
そしてこれにより主弁２８が開弁又は閉弁し、シャワーヘッド１０のシャワー吐水口２０からの吐水と止水とが行われる。
【００４５】
図２に示しているように、シャワーヘッド１０の本体部５４の内部には、環状をなす金属製の重錘１１８-１，１１８-２が、駆動軸６８に沿って移動可能な状態で駆動軸６８に外嵌状態に保持されている。
駆動軸６８にはまた、その上方部位において重錘１１８-１，１１８-２を衝突させて、それら重錘１１８-１，１１８-２の振れの力（慣性力）、即ち動的荷重を受ける当り部１２０が固定状態に設けられている。
尚この当り部１２０の中心部には雌ねじ孔が設けられていて、その雌ねじ孔において、当り部１２０が雄ねじ部７０に対しねじ結合で固定されている。
当り部１２０は、雄ねじ部７０に対する螺合位置を変えることで駆動軸６８に沿って位置調節が可能である。
【００４６】
この実施形態では、使用者がシャワーヘッド１０を手に持ってこれを図中上下に振ると、即ちシャワーヘッド１０に対し加振力を加えると、その加振力によってシャワーヘッド１０内部の重錘１１８-１，１１８-２が駆動軸６８に沿って上方移動して、当り部１２０に勢い良く衝突する。
【００４７】
その結果駆動軸６８に対して、重錘１１８-１，１１８-２による動的な慣性力が働いて、駆動軸６８と一体のコア部材７４，駆動スリーブ７６及び回転子７８が図２中上方に持ち上げられる。
その結果、パイロット弁６４が当初閉弁状態にあれば、パイロット弁６４が開弁動作し、その後スラストロック機構９０による上記の状態保持作用によって、パイロット弁６４が開弁状態に状態保持される。
【００４８】
その後再びシャワーヘッド１０を手に持って図２中上下方向にこれを振り、加振力を加えると、重錘１１８-１，１１８-２が図２中下方位置から上向きに勢い良く移動して当り部１２０に衝突し、コア部材７４，駆動スリーブ７６，回転子７８を駆動軸６８とともに上向きに押し上げる。
その結果、今度はコア部材７４，駆動スリーブ７６，回転子７８が下降位置に位置保持されて、パイロット弁６４が閉弁し且つ閉弁状態に状態保持される。
【００４９】
この実施形態では、このようにしてシャワーヘッド１０を手に持って図２中上下方向、即ち軸方向に加振力を加えるごとに、パイロット弁６４が開弁と閉弁とを交互に繰返し、且つ開弁後においては開弁状態に、また閉弁後においては閉弁状態にそれぞれ状態保持される。
【００５０】
以上のように本実施形態のハンドシャワー装置では、使用者がシャワーヘッド１０を手に持ってこれを振るだけで、パイロット弁６４を開弁，閉弁させることができ、これにより主弁２８を開弁，閉弁させてシャワーヘッド１０のシャワー吐水口２０からの吐水と止水とを行うことができる。
【００５１】
従って本実施形態のハンドシャワー装置では、使用者がシャワーヘッド１０を手に持ってこれを使用する際、持ち手の位置が制限されてしまうといったことがなく、使用者の好む任意の位置でシャワーヘッド１０を手に持ってこれを使用することができる。即ち持ち手の位置がどのような位置であっても、単にシャワーヘッド１０を振るだけで吐水及び止水を行うことができる。
【００５２】
また洗髪中など目を瞑った状態の下でも、シャワーヘッド１０に設けた操作部を手探りで捜さなくても、シャワーヘッド１０を振るだけで簡単に吐水と止水とを行うことができ、更に指の不自由な人であっても支障無くシャワーヘッド１０を手に持って吐水と止水とを行うことができる。
【００５３】
また本実施形態のハンドシャワー装置では、重錘１１８-１，１１８-２の移動による慣性力を利用して機械的にパイロット弁６４を開弁及び閉弁させ、シャワー吐水口２０からの吐水と止水とを行うものであるため、電気的に吐水と止水とを行う場合のように電源を必要としたり、或いは漏電などを起してしまうといった問題を生じない。
【００５４】
図７は上記実施形態の変形例を示している。
この例は、重錘１２２を大径として、シャワーヘッド１０の本体部５４内面に沿って移動させるようにし、また重錘１２２を大径としたのに対応して、当り部１２４を大径とした例である。
尚、他の点については基本的に上記実施形態と同様である。
【００５５】
図８は本発明の他の実施形態を示している。
この例は、倍力機構により重錘の振れの力を倍力して開閉機構６６に作用させるようになした例である。
同図において１２６はその倍力機構で、シャワーヘッド１０の本体部５４に取り付けられた軸１２８と、軸１２８周りに回動する長アーム１３０と短アーム１３２とを有しており、その長アーム１３０の先端部に重錘１３４が取り付けられている。
一方短アーム１３２には、その先端部に直角に折れ曲った突出形状の係合部１３６が設けられ、その係合部１３６が、駆動軸６８の雄ねじ部に螺合状態に組み付けられた連結部材１３８の係合穴１４０に挿入状態に係合せしめられている。
【００５６】
尚この実施形態において、軸１２８はその両端部が本体部５４の内面に設けられた溝１４２に嵌められて、その溝１４２底部にて支持され、またストッパリング１４４にて溝１４２底部からの軸１２８の浮上りが阻止されている。
倍力機構１２６は、そのようにして本体部５４に組み付けられている。
またこの実施形態において、長アーム１３０は軸部１２８から下方に向って延び出している。
【００５７】
この実施形態では、使用者がシャワーヘッド１０を手に持ってこれを図８中左右方向、つまり駆動軸６８の軸直角方向（シャワーヘッド１０の本体部５４の径方向）に振ると、その加振の力により重錘１３４が図８中左右方向に振れ、その振れの力が倍力機構１２６を介して駆動軸６８に伝えられ、駆動軸６８に対し上向きの強い力が加えられる。
【００５８】
開閉機構６６に対するこの上向きの力の作用は、シャワーヘッド１０に加振の力を加えるごとに繰返し行われ、これによってパイロット弁６４が開閉せしめられるとともに、開弁後において開弁状態を、また閉弁後において閉弁状態を、上記のスラストロック機構９０により状態保持される。
【００５９】
この実施形態によれば、重錘１３４の振れの力が倍力されて開閉機構６６に伝わるため、重錘１３４として質量の小さなものを用いることが可能となる。或いは同じ質量の重錘１３４を用いる場合においては、より強い力で開閉機構６６を開閉させるようになすことができる。
【００６０】
尚ここでは長アーム１３０が軸１２８から下方向きに延びていることから、シャワーヘッド１０を駆動軸６８のほぼ軸直角方向に振ることで、パイロット弁６４の開閉、即ちシャワーヘッド１０のシャワー吐水口２０から吐水と止水とを交互に行わせることができるが、長アーム１３０の向きを様々に変えることで、シャワーヘッド１０に対して加えるべき加振の力の向きを自在に選択することができる。
【００６１】
以上本発明の実施形態を詳述したがこれはあくまで一例示である。
例えば上記実施形態では、パイロット弁を開弁状態と閉弁状態とに状態保持するロック機構としてスラストロック機構を用いているが、ハートカム機構その他様々なロック機構を用いることも可能である。
その他本発明はその趣旨を逸脱しない範囲において種々変更を加えた形態で構成可能である。
【符号の説明】
【００６２】
１０  シャワーヘッド
１２  シャワーホース
２０  シャワー吐水口
２６  主水路
２８  主弁
３２  背圧室
３６  導入小孔
３８  パイロット水路
６０  パイロット弁座
６４  パイロット弁
６６  開閉機構
１１８-１，１１８-２，１２２，１３４  重錘
１２６  倍力機構
１３０  長アーム
１３２  短アーム
【図１】
0005782630.tif 000002
【図２】
0005782630.tif 000003
【図３】
0005782630.tif 000004
【図４】
0005782630.tif 000005
【図５】
0005782630.tif 000006
【図６】
0005782630.tif 000007
【図７】
0005782630.tif 000008
【図８】
0005782630.tif 000009